(57)【特許請求の範囲】
【請求項１】
平面視において略長方形である筐体と、
前記筐体の内部に配置された電池と、
前記筐体の内部に配置され、略筒の形状であり、前記筒の一端が前記筐体から露出する筒状部材と、
前記筐体の内部に配置された、センサ基板と、前記センサ基板に実装されたカメラセンサ部と、前記カメラセンサ部を覆うセンサハウジング部と、を有し、
前記電池は前記長方形の長手方向について中線を横切って配置されるとともに、前記電池と前記カメラセンサ部と前記筒状部材は前記長手方向に沿って並んで配置され、
前記筒状部材は、前記一端から入射した光が、前記筒の内部を経て、前記筒の外部かつ前記筐体の内部に通過可能であり、第１の幅を備える第１の隙間を備え、
前記センサ基板と前記センサハウジング部との間によって構成され、前記第１の幅より狭い第２の幅を備える第２の隙間を備える携帯カメラ装置であって、
前記第１の隙間と前記第２の隙間との間に配置され、前記第１の隙間と対向するとともに、前記第２の隙間及び前記カメラセンサ部と対向する遮光部材を更に備えた、
携帯カメラ装置。
【請求項２】
請求項１に記載の携帯カメラ装置であって、
前記遮光部材は板状である、
携帯カメラ装置。
【請求項３】
請求項１又は請求項２に記載の携帯カメラ装置であって、
前記遮光部材は、前記筐体の一部と一体である、
携帯カメラ装置。
【請求項４】
請求項３に記載の携帯カメラ装置であって、
前記遮光部材は、前記筐体の一部に設けられたリブで構成された、
携帯カメラ装置。
【請求項５】
請求項１から請求項４のいずれか１項に記載の携帯カメラ装置であって、
前記第１の隙間と前記遮光部材は、空間を介して対向している、
携帯カメラ装置。
【請求項６】
請求項１から請求項５のいずれか１項に記載の携帯カメラ装置であって、
前記第２の隙間と前記遮光部材は、空間を介して対向している、
携帯カメラ装置。
【請求項７】
請求項１から請求項６のいずれか１項に記載の携帯カメラ装置であって、
前記カメラセンサ部は端部を備え、
前記入射した光が、前記第２の隙間を経て前記端部に到達可能であるところを、
前記遮光部材によって、前記第１の隙間から前記筐体内部に通過する光の量を減少させることで、
前記端部に到達する光の量を減少させる、
携帯カメラ装置。
【請求項８】
請求項７に記載の携帯カメラ装置であって、
前記カメラセンサ部は、センサ面を覆うセンサカバーガラスを備え、
前記センサカバーガラスは端面を備え、
前記入射した光が、前記第２の隙間を経て前記端面に到達可能であるところを、
前記遮光部材によって、前記第１の隙間から前記筐体内部に通過する光の量を減少させることで、
前記端面に到達する光の量を減少させる、
携帯カメラ装置。
【請求項９】
請求項１から請求項８のいずれか１項に記載の携帯カメラ装置であって、
レンズ部を備え、
前記レンズ部を介する光を基に前記カメラセンサ部で撮像が可能な、
携帯カメラ装置。
【請求項１０】
請求項１から請求項９のいずれか１項に記載の携帯カメラ装置であって、
少なくとも前記電池を電源として動作可能な、
携帯カメラ装置。
【請求項１１】
請求項１から請求項１０のいずれか１項に記載の携帯カメラ装置であって、
前記筒状部材は、雌コネクタの一部であって、
前記雌コネクタは、前記筐体の外部より雄コネクタを挿入可能である、
携帯カメラ装置。
【請求項１２】
請求項１１に記載の携帯カメラ装置であって、
少なくとも前記雌コネクタは、電気接点を有する、
携帯カメラ装置。
【請求項１３】
請求項１２に記載の携帯カメラ装置であって、
少なくとも前記雌コネクタは、イヤフォンジャックである、
携帯カメラ装置。
【請求項１４】
請求項１３に記載の携帯カメラ装置であって、
マイク部と、
記憶部と、
表示部と、を備え、
前記カメラセンサ部で撮像した映像と、前記マイク部で集音した音声を前記記憶部に記憶させ、
前記記憶部に記録された映像と音声を、それぞれ前記表示部に表示するとともに、前記イヤフォンジャックに出力可能な、
携帯カメラ装置。
【請求項１５】
請求項１２に記載の携帯カメラ装置であって、
少なくとも前記雌コネクタは、ＵＳＢコネクタである、
携帯カメラ装置。
【請求項１６】
請求項１５に記載の携帯カメラ装置であって、
二次電池を備え、
前記ＵＳＢコネクタを介して外部から供給される電力を基に、前記二次電池を充電可能であるとともに、前記二次電池が供給する電力を基に動作可能な、
携帯カメラ装置。
【発明の詳細な説明】
【技術分野】
【０００１】
本発明は、持ち運び可能であり携帯に適した携帯カメラ装置に関する。
【背景技術】
【０００２】
携帯カメラ装置においては、小型化とともに高画質化が継続して求められている。
【０００３】
この高画質化を妨げる要因の一つとして、光漏れによるフレア現象が知られている。例えば、鏡胴付近の光漏れに起因するフレア現象を防ぐために、鏡胴付近の遮光構造が知られている（特許文献１）。
【先行技術文献】
【特許文献】
【０００４】
【特許文献１】特開平０９−２１１２８３号公報
【発明の概要】
【発明が解決しようとする課題】
【０００５】
ところで近年、携帯カメラ装置の高機能化が進展し、例えば、音声信号を外部へ出力するイヤフォンジャック等を備えることも考えられる。イヤフォンジャック等は、対応する接続部が接続されていない場合や、カバーが装着されていない場合等において、外部からの光を携帯カメラ装置の内部に入れてしまう可能性がある。これによって、イヤフォンジャック等の近くにカメラセンサ等を配置した場合等において、入った光がカメラセンサに届きカメラセンサにおいてフレア現象が起きる可能性がある。
【課題を解決するための手段】
【０００６】
本発明の携帯カメラ装置は、平面視において略長方形である筐体と、前記筐体の内部に配置された電池と、前記筐体の内部に配置され、略筒の形状であり、前記筒の一端が前記筐体から露出する筒状部材と、前記筐体の内部に配置された、センサ基板と、前記センサ基板に実装されたカメラセンサ部と、前記カメラセンサ部を覆うセンサハウジング部と、を有し、前記電池は前記長方形の長手方向について中線を横切って配置されるとともに、前記電池と前記カメラセンサ部と前記筒状部材は前記長手方向に沿って並んで配置され、前記筒状部材は、前記一端から入射した光が、前記筒の内部を経て、前記筒の外部かつ前記筐体の内部に通過可能であり、第１の幅を備える第１の隙間を備え、前記センサ基板と前記センサハウジング部との間によって構成され、前記第１の幅より狭い第２の幅を備える第２の隙間を備える携帯カメラ装置であって、前記第１の隙間と前記第２の隙間との間に配置され、前記第１の隙間と対向するとともに、前記第２の隙間及び前記カメラセンサ部と対向する遮光部材を更に備えた。
【発明の効果】
【００２７】
本発明によれば、イヤフォンジャック等の筒状部材の光通過部とカメラセンサ部との間に遮光部材を配置することで、筒状部材の一端から入射し筐体の内部に通過する光を遮光部材で少なくとも減少させることができる。これにより、カメラセンサ部に到達する光の量を減少させ、フレア現象を抑制することができる。
【図面の簡単な説明】
【００２８】
【図１】実施の形態に係る携帯カメラ装置を４方向から見た外観図
【図２】実施の形態に係る携帯カメラ装置の分解斜視図
【図３】実施の形態に係るカメラモジュール部の分解斜視図
【図４】実施の形態に係る携帯カメラ装置を示すブロック図
【図５】実施の形態に係る携帯カメラ装置の内部の配置を示す図
【図６】携帯カメラ装置のイヤフォンジャック周辺の一例を示す断面図
【図７】実施の形態に係る携帯カメラ装置のイヤフォンジャック周辺を示す断面図
【発明を実施するための形態】
【００２９】
（実施の形態）
以下、本発明の一例である、実施の形態に係る携帯カメラ装置１について図面を参照して説明する。
【００３０】
図１（Ａ）は、携帯カメラ装置１をレンズ部１７が露出する側から見た外観図である。
【００３１】
図１（Ａ）の右上に記されたｘ軸、ｙ軸、ｚ軸は各図面における方向と向きを統一的に示す模式的な図形である。ｘ軸の矢印は、ｘ軸に沿う方向で負から正への向きを示し、ｙ軸の矢印も、同様にｙ軸に沿う方向で負から正への向きを示す。各軸の矢印は、以下の各図においても同様である。
【００３２】
ｚ軸の円と円の中のバツ印（×）は、ｚ軸が、紙面の垂直な方向に沿って紙面の手前から紙面の裏側に向かう向きであることを示す。なお、この場合ｚ軸は紙面の手前が負で紙面の裏側が正である。各軸の円と円の中のバツ印（×）は、以下の各図においても同様である。
【００３３】
なお、各軸における正／負については、単にこれだけで技術的な意義を有するものではない。単に向きを統一的に説明するために用いる概念である。このことは以下の各図においても同様である。
【００３４】
図１（Ａ）の携帯カメラ装置１について説明する。筐体６は、少なくとも一部が樹脂で構成されている。その樹脂で構成される部分は射出成形技術を用いて、形成される。また、筐体６は、樹脂に限らず、金属で構成されるようにしてもよい。また、筐体６は、図１（Ａ）の様に、長方形を成している。
【００３５】
二次電池１４は、筐体６の内部に配置され、長方形の長手方向（ｙ軸方向）について一端側（ｙ軸方向の負側）に寄って配置されている。ここで、図１（Ａ）において、一点鎖線は長手方向（ｙ軸方向）について中線を示す。即ち二次電池１４は、図１（Ａ）に示す様に、少なくとも５割が中線より一端側（ｙ軸方向の負側）になるように配置されている。
【００３６】
レンズ部１７と鏡筒２０は、後述するカメラモジュール２４の一部である。レンズ部１７と鏡筒２０の少なくとも一部は、筐体６から露出するようになっている。レンズ部１７は、ｚ軸に沿ってカメラモジュール２４内のカメラセンサ部３（図１（Ａ）には図示しない。）に光を導く。従って、図１（Ａ）からも明らかな様に、レンズ部１７の光軸、即ち携帯カメラ装置１の光軸は、ｚ軸に平行になっている。そして、その光軸の向きは、ｚ軸における負から正の向きである。
【００３７】
また、少なくともレンズ部１７は、長方形の長手方向（ｙ軸方向）について他端側（ｙ軸方向の正側）に寄って配置されている。即ち、レンズ部１７は、図１（Ａ）に示す様に、中線をより他端側（ｙ軸方向の正側）に配置されている。
【００３８】
また、少なくともレンズ部１７と二次電池１４は、図１（Ａ）に示す様に、重ならない様に、長手方向に沿って並んで配置されている。ここで、筐体の一部６ａは、鏡筒２０を囲うとともに、ｚ軸方向に沿って負から正に向かって突出するように構成されている。
【００３９】
コントロールリング１８は、リング形状であって、鏡筒２０の外側において、リングが筐体の一部６ａを囲うように配置されている。コントロールリング１８は、筐体６の一部６ａに対して回動自在に装着されている。
【００４０】
図１（Ｂ）は、携帯カメラ装置１をｘ軸に沿って正から負の向きで見た外観図である。
【００４１】
図１（Ｂ）の右上に記された、ｘ軸の円と円の中心の点は、ｘ軸が紙面の垂直な方向に沿って、紙面の裏側から紙面の手前に向かう向きであることを示す。なお、この場合ｘ軸は紙面の裏側が負で紙面の手前が正である。各軸の円と円の中心の点は、以下の各図においても同様である。
【００４２】
図１（Ｂ）に示す様に、携帯カメラ装置１の一端側（ｙ軸方向の負側）の厚さ（ｚ軸方向の長さ）は、他端側（ｙ軸方向の正側）の厚さ（ｚ軸方向の長さ）より薄い構成になっている。ここで、他端側の厚さは、図１（Ｂ）における筐体６とコントロールリング１８を含む厚さである。
【００４３】
図１（Ｃ）は、携帯カメラ装置１を、ｚ軸に沿って正から負の向きで見た外観図である。
【００４４】
筐体６は、図１（Ａ）に示す面を表面とすると、その表面と反対の、図１（Ｃ）に示す裏面を有する。表示部９は、筐体６の裏面に配置されている。
【００４５】
表示部９と二次電池１４は、図１（Ｃ）に示す様に、二次電池１４の大部分が重なる様に、配置されている。即ち、二次電池１４の８割以上が表示部９と重なるように配置されている。
【００４６】
カメラセンサ部３は、筐体６の内部に配置されている。表示部９とカメラセンサ部３は、図１（Ａ）に示す様に、カメラセンサ部３の少なくとも一部は、表示部９と重なるように配置されている。
【００４７】
マイク部８は、筐体６外部の音を集音できるように配置されている。なお、マイク部８は、図１（ｃ）に示すように筐体６の裏面に配置するようにしても良いし、裏面以外に配置しても良い。
【００４８】
イヤフォンジャック２とＵＳＢコネクタ１３は、筐体６の内部であって、筐体６の表面と裏面の間に配置されている。イヤフォンジャック２とＵＳＢコネクタ１３は、図１（ｃ）に示すように、それぞれ少なくとも一部は、表示部９と重ならないように配置されている。また、イヤフォンジャック２とＵＳＢコネクタ１３は、それぞれ略筒の形状を成しており、それぞれ筒の一端が、筐体６の長手方向（ｙ軸方向）について他端側（ｙ軸方向の正側）に寄せて配置されている。
【００４９】
図１（Ｄ）は、携帯カメラ装置１を、ｙ軸に沿って正から負の向きで見た概観図である。
【００５０】
イヤフォンジャック２とＵＳＢコネクタ１３のそれぞれの一端は、図１（Ｄ）に示す様に、筐体６の端面に露出するように配置されている。なお、ここでの筐体６の端面は、筐体６の表面と裏面を繋ぐ面の少なくとも一つである。この様な配置において、少なくともイヤフォンジャック２の筒の一端は、筐体６の外部の光を筒の内部に入れる場合がある。
【００５１】
図２は、携帯カメラ装置１の主要構成部品に係る分解斜視図である。
【００５２】
筐体の裏面部６ｂと、筐体の表面部６ｃの間に、カメラモジュール２４、メイン基板１９、イヤフォンジャック２、ＵＳＢコネクタ１３、二次電池１４等が配置される。
【００５３】
メイン基板１９は、カメラモジュール２４に対応する位置に切欠部１９ｃが設けられている。また、メイン基板１９は、切欠部１９ｃを囲むように延伸しており、メイン基板の端部１９ａ、１９ｂを備える。メイン基板の端部１９ａ、１９ｂは離れており、メイン基板の端部１９ａ、１９ｂの間に、イヤフォンジャック２が配置されるようになっている。
【００５４】
カメラモジュール２４は、メイン基板１９の切欠部１９ｃを、ｚ軸に沿って正から負の向きで通って、筐体の表面部６ｃに設けられた孔６ｄに収まるようになっている。そして、カメラモジュール２４のレンズ部１７は孔６ｄから外部に露出するようになっている。
【００５５】
第１アンテナ１１と、第２アンテナ２２は、それぞれ金属片であって、筐体の表面部６ｃに配置されている。そして、第１アンテナ１１と、第２アンテナ２２は、カメラモジュール２４の周辺であって、筐体６の長手方向（ｙ軸方向）について他端側（ｙ軸方向の正側）に配置されている。
【００５６】
図３は、カメラモジュール２４の分解斜視図である。これは、図２の分解斜視図と比べると、ｘ軸とｙ軸について向きが逆転した方向から見ている図であり、注意が必要である。
【００５７】
センサ基板７の上にカメラセンサ部３が実装され、センサハウジング部５は、内部に空洞を持つとともに、カメラセンサ部３を覆うように配置される。さらに、センサハウジング部５の上には、鏡筒２０とレンズ部１７が配置される。これにより、レンズ部１７に入射した光がカメラセンサ部３に結像するようになっている。
【００５８】
なお、鏡筒２０とセンサハウジング部５は連続して、レンズ部１７とカメラセンサ部３を覆っており、基本的にはレンズ部１７から入った光のみが、カメラセンサ部３に届くようになっている。しかし、後述する通り、カメラモジュール２４は、センサハウジング部５とセンサ基板７の間等に、隙間を備えることがある。
【００５９】
図４は、携帯カメラ装置１の概略構成の一例を示すブロック図である。
【００６０】
記憶部１２は、ＤＲＡＭ（Dynamic Random Access Memory）等の揮発性メモリを有し、ユーザが携帯カメラ装置１に対して各種設定を行った際、その設定を記憶する。
【００６１】
制御部１６は携帯カメラ装置１の各部を制御するものである。制御部１６は、ＣＰＵ（Central Processing Unit）、ＲＯＭ（Read Only Memory）、ＲＡＭ（Random Access Memory）、およびインタフェース回路で構成される。ＲＯＭにはＣＰＵを制御するためのプログラムが記憶されており、ＲＡＭはＣＰＵの動作時に演算領域として使用される。
【００６２】
第１無線通信部１０は、第１アンテナ１１が接続されている。第１無線通信部１０は、第１アンテナを介して外部との間で、無線送信と無線受信を行い、プログラム等のデータを送信したり、受信したりする。第２無線通信部２１は、第２アンテナ２２が接続されており、同様に第２アンテナを介して外部との間で、無線送信と無線受信を行い、プログラム等のデータを送信したり、受信したりする。
【００６３】
電源部１５は、リチウムイオン電池等の二次電池１４が接続されている。電源部１５は、ＵＳＢコネクタ１３を介して外部より給電さられる電力を基に、二次電池１４を充電し、二次電池１４が供給する電力を、携帯カメラ装置１の各部に供給する。
【００６４】
制御部１６は、カメラセンサ部３で撮像した映像と、マイク部８で集音した音声を記憶部１２に記憶させ、記憶部１２に記録された映像と音声を、それぞれ表示部９に表示するとともに、イヤフォンジャック２に出力したりする。コントロールリング１８は、操作者が行う回転動作によって回転し、入力を受け付ける。制御部１６は、コントロールリング１８の入力によって、カメラとしてのシャッタースピードや、絞りの値を切り替えたりする。
【００６５】
なお、制御部１６、第１無線通信部１０、第２無線通信部２１、記憶部１２、及び電源部１５等は、図２等で図示はしないがメイン基板１９上に実装されている。
【００６６】
図５は、携帯カメラ装置１の内部の配置を示した模式図である。この図は、ｚ軸に垂直なｘｙ平面に沿ったものである。
【００６７】
図５における一点鎖線は、筒状のイヤフォンジャック２の筒の中心線を示している。図５から判るように、イヤフォンジャック２とカメラセンサ部３は、少なくとも当該中心線がカメラセンサ部３に重なるように配置されている。また、当該中心線は、ｘｙ平面に沿ったものであり、携帯カメラ装置１の光軸と凡そ直交している。
【００６８】
遮光部材４は、イヤフォンジャック２とカメラセンサ部３の間に配置され、イヤフォンジャック２の内部を通過し、カメラセンサ部３に到達する光を少なくとも減少させる。
【００６９】
遮光部材４は、板状の樹脂で形成されており、筐体６の一部と一体となったリブで構成されても良い。また、遮光部材４は、板状に限らず、光を減少させれば良く、例えばフィルム状のものでも良い。また、遮光部材４は、樹脂に限らず、金属等で形成するようにしても良い。
【００７０】
携帯カメラ装置１は、図５に示すように、二次電池１４、カメラセンサ部３、及びイヤフォンジャック２が、凡そｙ軸に沿って並んで配置されている。
【００７１】
ここで、一般に近年の携帯カメラ装置は、薄型化が進むとともに、通信機能や大画面の液晶等を備え消費電力量が大きくなり、二次電池の容量が大きくする為に二次電池が大きく、筐体６の内部で大きな割合を占めるようになっている。
【００７２】
その為、携帯カメラ装置１は、前述の通り二次電池１４、カメラセンサ部３、及びイヤフォンジャック２が並んで配置されるとともに、カメラセンサ部３がイヤフォンジャック２の近くに配置されている。
【００７３】
図６（Ａ）は、携帯カメラ装置１のイヤフォンジャック２付近を、ｙｚ平面で切った断面図において、説明上便宜的に遮光部材４を除いた場合を示すものである。
【００７４】
イヤフォンジャック２は、筐体６の内部に配置されるとともに、略筒の形状である。その筒の一端が筐体６から露出している。ここで筒の一端とは、図６（Ａ）に示す様に、イヤフォンジャック２のｙ軸の正側の端である。イヤフォンジャック２は、筐体６から露出している一端から入射した光について、筒の内部を通過させる。
【００７５】
光通過部２５は、イヤフォンジャック２において一端と反対の他端に配置され、筒の内部を通過した光を、筒の外部であって、かつ、筐体６の内部に通過させる。
【００７６】
そして、光通過部２５は、所定の幅（第１の幅）を有する隙間と捕らえることも可能である。
【００７７】
電気接点２３は、筒の内部に露出するように配置され、イヤフォンジャック２にイヤフォンプラグ（図示せず）が挿入された場合に、イヤフォンプラグと接触するようになっている。そして、電気接点２３は、制御部１６にも接続され、制御部１６が出力する電気的音声信号をイヤフォンプラグに出力する。
【００７８】
カメラセンサ部３は、凹部を備えるセンサケース３３と、凹部の底部に配置されたセンサ面３２と、センサケース３３の上部（ｚ軸の負側）に配置され、センサ面３２を保護するセンサカバーガラス３１を備える。センサカバーガラス３１は、光透過率の高いガラスで構成されており、レンズ部１７を通過して来た光を、センサ面３２へ透過させる。また、センサカバーガラス３１は端面３１ａを備える。
【００７９】
センサハウジング部５は、カメラセンサ部３を覆うとともに、センサ基板７との間に隙間２６（第２の隙間）を構成する。
【００８０】
図６（Ａ）に示す様に、遮光部材４を除いた場合は、光通過部２５を通過した光は、大部分がセンサハウジング部５に当たるが、一部は隙間２６に入る。
【００８１】
隙間２６が十分に狭いと、隙間２６に入った光は、回折し、広がりを持つようになる。広がった光の一部がカメラセンサ部の端面３ａと、センサハウジング部５の内壁との間で反射等を繰り返して、センサカバーガラスの端面３１ａに到達する。センサカバーガラスの端面３１ａからセンサカバーガラス３１の内部に入った光は、センサカバーガラス３１と外部の界面で反射を繰り返して、センサカバーガラス３１の内部全体に広がるとともに、一部がセンサ面３２側の界面からセンサカバーガラス３１の内部から外部へ出て、センサ面３２に届き、フレア現象を発生させてしまう。
【００８２】
ここで、隙間２６は、狭いと回折を発生させやすい。例えば、隙間２６の幅（第２の幅）は、光通過部２５の幅（第１の幅）より狭くなっている。
【００８３】
光通過部２５とカメラセンサ部３の少なくとも端面３ａは、遮光部材４を除いた場合、図６（Ａ）に示すように空間を介して対向している。
【００８４】
図６（Ｂ）は、携帯カメラ装置１のイヤフォンジャック２付近を、ｘｙ平面であって、イヤフォンジャック２の筒の中心を通る線に沿って切った断面図において、図６（Ａ）と同様に便宜上、遮光部材４を除いた場合を示すものである。
【００８５】
図６（Ｂ）において、一点鎖線はイヤフォンジャック２の筒の中心を通る線を示す。この中心線は、図６（Ｂ）に示すように、カメラセンサ部３を通るようになっているが、必ずしもカメラセンサ部の中心３ｂを通る必要はない。
【００８６】
図７（Ａ）は、図６（Ａ）に対応し、実施の形態に係る携帯カメラ装置１（遮光部材４を備える）のイヤフォンジャック２付近を、ｙｚ平面で切った断面図である。
【００８７】
遮光部材４は、筐体６の内部において、光通過部２５と少なくもカメラセンサ部の端面３ａの間であって、光通過部２５を覆う様に配置されている。これにより、イヤフォンジャック２の筒の一端から入射し、筐体の内部に通過する光を遮光部材４で、少なくとも減少させることができる。これにより、カメラセンサ部３に到達する光の量を減少させ、フレア現象を抑制することができる。
【００８８】
また、遮光部材４は、図７（Ａ）の通り、幅の広い光通過部２５（第１の隙間）と幅の狭い隙間２６（第２の隙間）の間に配置していると捕らえることも出来る。
【００８９】
ここで、幅の狭い第２の隙間２６においては、光の回折現象で、光が広がる可能性が、第１の隙間２５より高い。しかし、このように遮光部材４を第１の隙間２５と第２の隙間２６の間に配置することで、光が広がる可能性が高い第２の隙間に光が入る前に、光を減少させることができる。これにより、広がる光の量を減少させることができ、カメラセンサ部に到達する光の量をより減少させ、フレア現象をより抑制することができる。
【００９０】
図７（Ｂ）は、図６（Ｂ）に対応する携帯カメラ装置１の断面図である。図７（Ａ）と同様に遮光部材４が配置されている。
【００９１】
図７（Ａ）（Ｂ）に示す通り、光通過部２５と遮光部材４は、空間を介して対向している。また、遮光部材４と隙間２６は空間を介して対向している。また、隙間２６とカメラセンサ部３の少なくとも一部は、空間を介して対向している。即ち、遮光部材４とカメラセンサ部３の少なくとも一部は、空間を介して対抗している。
【００９２】
なお、光通過部２５と遮光部材４の間の空間に、可視光について所定の透過率を備える透明部材（例：透明な樹脂）を備えるようにしても良い。また、遮光部材４と隙間２６の間の空間に、同様な透明部材を備えるようにしても良い。また、隙間２６とカメラセンサ部３の間の空間に、同様な透明部材を備えるようにしても良い。
【００９３】
これまで、光通過部２５は第１の隙間として説明して来たが、隙間に限定されるものではない、筒内部の光を筒外部に通過させれば良く、例えば可視光について所定の透過率を備える透明部材で構成されるようにしても良い。
【００９４】
また、これまでイヤフォンジャック２とカメラセンサ部３の位置関係について、イヤフォンジャック２の中心線がカメラセンサ部３に重なる場合について説明したが、これに限らない。イヤフォンジャック２の筒を通った光が、カメラセンサ部３に到達する可能性のある配置であれば良い。
【００９５】
また、これまでイヤフォンジャック２の光通過部２５は、イヤフォンジャック２の他端に配置された場合について説明したが、これに限らない。筒の内部を通過した光を、筒の外部に通過させれば良く、例えば、筒の壁面（一端と他端の間）に光通過部２５を設けて、電気接点２３等が筒の内部を通過した光を反射し、壁面の光通過部２５から光が筒の外部に通過する様にしても良い。
【００９６】
また、これまで、イヤフォンジャック２の場合について説明したが、これに限らない。例えば、マイクジャック（図示せず）等でも良い。また、イヤフォンジャック２の代わりは、筒状の部材であれば良い。例えば、雌コネクタの一部であっても良い。そして、雌コネクタは、筐体６の外部より、対応する雄コネクタを挿入可能にしても良い。更に、雌コネクタは、例えばＵＳＢコネクタ１３であっても良い。
【産業上の利用可能性】
【００９７】
本発明は、持ち運び可能であり携帯に適した携帯カメラ装置等に適応可能である。
【符号の説明】
【００９８】
１  携帯カメラ装置
２  イヤフォンジャック（筒状部材）
３  カメラセンサ部
４  遮光部材
５  センサハウジング部
６  筐体
７  センサ基板
８  マイク部
９  表示部
１０  第１無線通信部
１１  第１アンテナ
１２  記憶部
１３  ＵＳＢコネクタ（筒状部材）
１４  二次電池
１５  電源部
１６  制御部
１７  レンズ部
１８  コントロールリング
１９  メイン基板
２０  鏡筒
２１  第２無線通信部
２２  第２アンテナ
２３  電気接点
２４  カメラモジュール
２５  光通過部（第１の隙間）
２６  隙間（第２の隙間）
３１  センサカバーガラス
３２  センサ面
３３  センサケース
【要約】
【課題】イヤフォンジャック等の筒状部材（２）から筐体の内部に入射する光が、カメラセンサ部に到達しフレア現象を起こす。
【解決手段】
携帯カメラ装置（１）は、筐体（６）の内部に配置され、略筒の形状であり、筒の一端が筐体から露出するイヤフォンジャック等の筒状部材と、筐体の内部に配置されたカメラセンサ部（３）と、を有し、筒状部材は、一端から入射した光が、筒の内部を経て、筒の外部かつ筐体の内部に通過可能な光通過部（２５）を備え、光通過部とカメラセンサ部との間に、遮光部材（４）を配置した。
【選択図】図７【図１】
0005830657.tif 000002
【図２】
0005830657.tif 000003
【図３】
0005830657.tif 000004
【図４】
0005830657.tif 000005
【図５】
0005830657.tif 000006
【図６】
0005830657.tif 000007
【図７】
0005830657.tif 000008